(57)【要約】      （修正有）【課題】冷蔵庫等の重い直方体状製品を安定して運搬する運搬具を提供する。【解決手段】冷蔵庫の運搬具Ｐであって、その冷蔵庫の下面と側面とが突き当たる対向する両辺部にそれぞれ嵌める断面Ｌ字状の当て板１０と、その両当て板１０に亘って前記下面に沿って掛け渡された並行する対のベルト２０、２０と、その各ベルト２０の両端を連結するフランスカン３０とからなる。当て板１０は、そのＬ字状内面に緩衝材１１が設けられてベルトに対しその長さ方向に移動可能となっている。当て板１０を冷蔵庫の下面の左右側に嵌め、各ベルト２０の長さを調整して作業者の背丈に応じたものとした後、図に示すように、そのベルトの輪状部分を肩掛けし、冷蔵庫をその前後面で持ち上げて運搬する。【選択図】図１
0003192306.tif 000002
【実用新案登録請求の範囲】
【請求項１】
冷蔵庫（Ａ）等の重量直方体状製品の下面と側面とが突き当たる対向する両辺部にそれぞれ嵌める断面Ｌ字状の当て板（１０、１０）と、その両当て板（１０）に亘って前記下面に沿って掛け渡された並行する対のベルト（２０、２０）と、その各ベルト（２０）の両端を連結する連結具（３０）とからなり、前記当て板（１０）は、そのＬ字状内面に緩衝材（１１）が設けられて前記ベルト（２０）に対しその長さ方向に移動可能となっており、前記両ベル（２０、２０）トの両端は切り離されて前記連結具（３０）によって自分自身の両端を連結又は他のベルト（２０）の端と連結可能となっており、その連結具（３０）で連結したベルト（２０）は肩掛けし得る長さとなっていることを特徴とする重量直方体状製品の運搬具。
【請求項２】
上記ベルト（２０）は上記当て板（１０）の外面を通り、その当て板（１０）の外側面に前記ベルト（２０）をその長さ方向に移動自在に介在した支持片（１２）を設けたことを特徴とする請求項１に記載の重量直方体状製品の運搬具。
【請求項３】
上記当て板（１０）の縦片（１０ａ）から横片（１０ｂ）に向かって斜めに延びる支持孔（１５）を形成し、その支持孔（１５）に上記ベルト（２０）をその長さ方向に移動自在に挿通したことを特徴とする請求項１に記載の重量直方体状製品の運搬具。
【考案の詳細な説明】
【技術分野】
【０００１】
この考案は、冷蔵庫等の重い直方体状製品の運搬具に関するものである。
【背景技術】
【０００２】
重量物で縦長の製品（重量直方体状製品）、例えば、冷蔵庫は、木枠やダンボール枠内に発泡スチロール等の緩衝材を介し梱包して工場から出荷する（特許文献１等参照）。この梱包状態は、フォークリフト等を使用して運搬したり、人力であっても、梱包枠に手を掛ける部位があるため、冷蔵庫を転倒等によって傷つけることなく運搬することができる。
一方、各家庭等に搬入したり、店頭品を搬出したり、引っ越したりする場合、冷蔵庫等の縦長重量製品は、重心が高く、運搬時には振れやすく不安定になりがちである。このため、従来では、養生シートを床等に敷き、そのシート上に縦長製品を載せて床を滑らせて移動している。
これら何れの運搬時も、冷媒をかき回さないように、できるだけ静かに運搬する必要がある。
【先行技術文献】
【特許文献】
【０００３】
【特許文献１】特開２００９−１８８２５号公報
【考案の概要】
【考案が解決しようとする課題】
【０００４】
上記養生シート上に縦長重量製品を載せて移動させる手段は、床に擦り傷を生じさせる恐れがあり、顧客にその恐れが生じる不安感を与えている。
また、冷蔵庫の前後又は両側（左右）に作業者が立ち、二人で、そのまま冷蔵庫を持ち上げて運搬したりもしているが、冷蔵庫は、重くかつ重心も高いため、その持ち上げ状態が不安定である。
【０００５】
この考案は、以上の実状の下、冷蔵庫等の重量直方体状製品の運搬を安定して行い得るようにすることを課題とする。
【課題を解決するための手段】
【０００６】
上記課題を達成するため、この考案は、まず、冷蔵庫等の重量直方体状製品は、二人の作業者で運搬することに安定性があるため、その二人が肩掛けベルトによって持ち上げることとしたのである。すなわち、対のベルトによる肩掛けによって運搬することとしたのである。肩掛けであると、重い製品も十分に安定して持ち上げることができるとともに、両手があくため、その両手で製品の振れを抑えることが可能となる。
つぎに、重量直方体状製品をその下面の対向する辺部でもって断面Ｌ字状の当て板で支えることとしたのである。Ｌ字状の当て板であると、そのＬ字状内面を重量直方体状製品の下面と側面に当てて嵌め得るため、その支持状態も安定するからである。このとき、その当て板の内面に緩衝及び滑り止め材を設ければ、その支持がより安定する。また、当て板をベルトに対しその長さ方向に移動可能とすれば、被運搬物の大きさに対応させて当て板の位置を調整し得る。
さらに、ベルトをフランスカン等の連結具で連結し得るものとしたのである。フランスカン金具等の連結具であると、肩掛けベルト部分の長さを容易に調整できるため、被運搬物の大きさや作業者の背丈等にベルト長を容易に対応できるからである。
【０００７】
この考案の構成としては、冷蔵庫等の重量直方体状製品の下面と側面とが突き当たる対向する辺部にそれぞれ嵌める断面Ｌ字状の当て板と、その両当て板に亘って掛け渡された並行する対のベルトと、その各ベルトの両端を連結する連結具とからなり、前記当て板は、そのＬ字状内面に緩衝材が設けられて前記ベルトに対しその長さ方向に移動可能となっており、前記両ベルトの両端は切り離されて前記連結具によって自分自身の両端を連結又は他のベルトの端と連結可能となっており、その連結具で連結したベルトは肩掛けし得る長さとなっている構成を採用することができる。
【０００８】
上記両ベルトの両端を切り離し、連結具によって自分自身の両端を連結又は他のベルトの端と連結可能としたのは、冷蔵庫の場合、当て板は、前後面ではなく、左右側面における下面と側面とが突き当たる対向する両辺部に嵌めるため、作業者が前後で持ち上げる場合と左右で持ち上げる場合があるからであり、その両者に対応するためである。
また、連結具で連結したベルトが肩掛けし得る長さとしたのは、ベルトが短いと、連結具で連結したベルトの輪状部分が作業者の肩より低くなって、肩掛けできないからであり、被運搬物の大きさや一般的な背丈の作業者を考慮し、あまり長くならないように、そのベルト長を適宜に決定する。
【０００９】
この構成において、上記ベルトは上記当て板の外面を通り、その当て板の外側面にベルトをその長さ方向に移動自在に通した支持片を設けた構成とすることができる。このようにすると、持ち上げた際、当て板のＬ字状外面にベルトが沿って強く圧し、その圧した摩擦力でもって当て板に対してその長さ方向にベルトが動くことを止めることができるため、ベルトと当て板の位置関係が一定となって、作業性が向上する。
その支持片の材料は、ベルトと同一材としたり、樹脂や金属等によって構成したりすることができる。このとき、支持片は当て板の長さ方向に長く、その両端で両ベルトを支持しているようにすれば、支持片を当て板に強固に固定することができる。
また、Ｌ字状の当て板の縦片から横片に向かって斜めに延びる支持孔を形成し、その支持孔に上記ベルトをその長さ方向に移動自在に挿通した構成とすることもできる。
【考案の効果】
【００１０】
この考案は、以上の構成の運搬具としたので、冷蔵庫等の重い重量直方体状製品を安定して運搬することができる。また、この運搬具による支持状態は、縦長重量直方体状製品の最小面から搬入し得るため、狭小箇所への進入が可能であって作業性が良いものである。
【図面の簡単な説明】
【００１１】
【図１】（ａ）はこの考案に係わる運搬具の一実施形態の斜視図、（ｂ）、（ｃ）は（ａ）のそれぞれ部分拡大図、（ｄ）は（ａ）の部分拡大側面図
【図２Ａ】（ａ）、（ｂ）は同実施形態の運搬具による冷蔵庫の運搬作業説明図
【図２Ｂ】同運搬作業説明図
【図２Ｃ】（ａ）〜（ｃ）は同運搬作業説明図
【図３】他の実施形態を示し、（ａ）は要部の斜視図、（ｂ）は同断面図
【図４】さらに他の実施形態を示し、（ａ）は要部の斜視図、（ｂ）は同断面図
【考案を実施するための形態】
【００１２】
この考案に係わる運搬具Ｐの一実施形態を図１、図２Ａ〜図２Ｃに示し、この運搬具Ｐは、冷蔵庫Ａの下面辺部にそれぞれ嵌める断面Ｌ字状の当て板１０と、その両当て板１０に亘って前記下面に沿って掛け渡される並行する対のベルト２０、２０と、その各ベルト２０の両端を連結するフランスカン３０とからなる。
【００１３】
ベルト２０はポリエステル撚糸をシートベルト状に織ったもの等の摩耗に強く、かつ張力に十分耐え得る素材からなる。
当て板１０はＬ字状断面の木材、樹脂、金属等の剛体からなり、そのＬ字状内面にクロロプレンゴムやウレタンゴム等からなる緩衝材１１が固着されている。当て板１０の外側面にはその全長に亘って上記ベルト２０と同一素材からなるベルト状支持片１２が接着により固定されており、その支持片１２の両端部は輪状とされてその輪状部１３の両端は固定金具１４によって強固に固定されている（図１（ｂ）、（ｄ）参照）。このため、この輪状部１３は容易に当て板１０から剥がれることはない。
【００１４】
ベルト２０には樹脂、金属等の剛体からなるフランスカン３０が固定されている。このフランスカン３０は、図１（ｃ）に示すように、四角状の枠３１とその枠３１の両側杆に移動自在のスライド杆３２とからなり、枠３１にベルト２０の一端を固定し、他端をスライド杆３２に掛け回して枠３１の下面に通し、その通し長さを適宜にすることによって、フランスカン３０を介したベルト２０の長さを調整し得る。
【００１５】
この実施形態の運搬具Ｐは以上の構成であり、つぎに、この運搬具Ｐによる冷蔵庫Ａの運搬手順について説明する。
【００１６】
まず、図２Ａ（ａ）に示すように、運搬しようとする冷蔵庫Ａの隣に、この運搬具Ｐを広げて置き、同図（ｂ）に示すように、冷蔵庫Ａをその底面のキャスターでもって移動させてその運搬具Ｐの両当て板１０，１０の間のベルト２０、２０上に冷蔵庫Ａを位置させたり、又は運搬具Ｐを置くことなく、冷蔵庫Ａの一側、例えば、前面側を上方に上げ傾けてその傾けた側の下面に空間を形成し、その空間からこの運搬具Ｐを入れて、同様に、同図（ｂ）に示すように、その運搬具Ｐの両当て板１０，１０の間のベルト２０、２０上に冷蔵庫Ａを位置させたりする。その後、当て板１０、１０をそのＬ字状内面を冷蔵庫Ａの下面と側面とが突き当たる対向する辺部に当てて嵌める。この作業時、冷蔵庫Ａの下面はキャスターと高さ調整ボルトによって当て板１０の下片が入り込む隙間はある。また、冷蔵庫Ａは、重量直方体状の箱型であって、その下面は角形となっているが、その下面の前後は、前面に扉があり、後面は隠れるため、同左右に比べて機械強度が弱くなっている。このため、当て板１０はその下面の左右側に嵌める（同図（ｂ）参照）。
【００１７】
つぎに、図２Ｂに示すように、対のベルト２０、２０の両端がそれぞれ他の両端とフランスカン３０を介して連結されている場合、同図のように、フランスカン３０でもって各ベルト２０長を調整して作業者の背丈に応じたものとし、そのベルト２０の輪状部分を肩掛けし、冷蔵庫Ａを持ち上げて運搬する。
【００１８】
一方、冷蔵庫Ａは、上記のように、その下面の前後は強度が弱いため、図２Ｃ（ａ）から同図（ｂ）に示すように、フランスカン３０から両ベルト２０、２０を外して交換し、その交換した両ベルト２０の両端をフランスカン３０を介して連結する。そのとき、各ベルト２０の長さを調整して作業者の背丈に応じたものとした後、同図（ｃ）に示すように、そのベルト２０の輪状部分を肩掛けし、冷蔵庫Ａを持ち上げて運搬する。この持ち上げ状態は、冷蔵庫Ａの前後面で持ち上げ支持している。
【００１９】
冷蔵庫Ａの前後又は左右のいずれの持ち上げによる運搬時においても、冷蔵庫Ａの下面の辺部は緩衝材１１を介して当て板１０に支持されているため、運搬時、緩衝材１１によって滑り止めが発揮されるとともに、床への設置時、その衝撃が緩和される。また、この運搬具Ｐによる支持状態は、冷蔵庫Ａの最小面である上面又は下面から搬入し得るため、狭小箇所への進入が可能であって作業性が良い。
【００２０】
上記当て板１０へのベルト２０のその長さ方向に移動可能な支持手段としては、例えば、図３に示すように、支持片１２を、両端に止片１２ａを有する本体コ字状の金具等で形成し、その止片１２ａで持って当て板１０にビス止めやリベット１２ｂ止めし、その支持片１２内でベルト２０の挿通孔を形成することもできる。
また、図４に示すように、当て板１０の両端にその縦片１０ａ及び横片１０ｂに亘る斜めの貫通孔１５を形成し、その孔１５にベルト２０を通した態様とすることもできる。この場合、緩衝材１１は、強度の高いネオプレン（登録商標）ゴムを使用し、当て板１０には樹脂成型品を使用することができる。樹脂は滑性があるため、ベルト２０の移動（長さ調整）が円滑となる。
【００２１】
上記実施形態の運搬態様は、冷蔵庫Ａの場合であったが、他の種々の家庭電化製品、例えば、洗濯機等の運搬にも使用できる。また、家庭電化製品のみならず、家具等の他の種々の重量直方体状製品の運搬に使用できることは云うまでもない。
また、連結具はフランスカン３０以外にもバックル等の種々の物を採用することができる。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００２２】
Ｐ  運搬具
Ａ  冷蔵庫
１０  当て板
１１  緩衝材
１２  支持片
１２ａ  支持片の止片
１３  支持片両端の輪状部
１４  輪状部の固定金具
１５  ベルト貫通孔
２０  ベルト
３０  フランスカン（連結具）
３１  フランスカンの枠
３２  フランスカンのスライド杆
【図１】
0003192306.tif 000003
【図３】
0003192306.tif 000004
【図４】
0003192306.tif 000005
【図２Ａ】
0003192306.tif 000006
【図２Ｂ】
0003192306.tif 000007
【図２Ｃ】
0003192306.tif 000008